(57)【要約】  多角形状の断面（２）を有する軸ピボット部（１）を、駆動部（３）または支承軸（２５）と接続するための軸連結部であって、軸ピボット部（１）を収容するための連結開口部（５）を有する回転式に駆動可能な連結体（４）を有する軸連結部であって、その際、連結体（４）が、複数部材式に形成されており、および分割線（６）に沿って開かれることが可能であるよう形成されており、分割線（６）が、連結開口部（５）を横切っており、連結開口部（５）内に軸ピボット部（１）を力結合的に保持するためのチャック装置（７）が設けられており、連結開口部（５）が、少なくとも部分的に複数のクランプ部（８）を通って形成されており、これらクランプ部が、閉じられた状態でチャック装置（７）を介して、好ましくは面で軸ピボット部（１）に押さえ付けられている。【選択図】図３
2016520776.tif 000002
【特許請求の範囲】
【請求項１】
多角形状の断面（２）を有する歯状ピボット部（１）を、駆動部（３）または支承軸（２５）と接続するための軸連結部であって、軸ピボット部（１）を収容するための連結開口部（５）を有する回転式に駆動可能な連結体（４）を有する軸連結部において、
連結体（４）が、複数部材式に形成されており、および分割線（６）に沿って開かれることが可能であるよう形成されていること、
分割線（６）が、連結開口部（５）を横切っていること、
連結開口部（５）内に軸ピボット部（１）を力結合的に保持するためのチャック装置（７）が設けられていること、
連結開口部（５）が、少なくとも部分的に複数のクランプ部（８）によって形成されており、これらクランプ部が、閉じられた状態でチャック装置（７）を介して、好ましくは面で軸ピボット部（１）に押さえ付けられていることを特徴とする軸連結部。
【請求項２】
連結体（４）が、第一の連結部材（９）と第二の連結部材（１０）を有すること、および軸ピボット部（１）を連結体（４）と力結合的に接続させる為、および接続を解除するために、第一の連結部材（９）が第二の連結部材（１０）に対してチャック装置（７）を介して移動可能であることを特徴とする請求項１に記載の軸連結部。
【請求項３】
閉じられた状態及び挟み込まれた軸ピボット部において、連結部材（９）と連結部材（１０）の間に間隙（１１）が空けられていることを特徴とする請求項１または２に記載の軸連結部。
【請求項４】
第一の連結部材（９）が一方の側で蝶番式に第二の連結部材（１０）と接続されていること、および他方の側にチャック装置（７）が設けられていることを特徴とする請求項１から３のいずれか一項に記載の軸連結部。
【請求項５】
チャック装置（７）が、第一の連結部材（９）を第二の連結部材（１０）と接続するためのねじ接続部（１２）を有することを特徴とする請求項１から４のいずれか一項に記載の軸連結部。
【請求項６】
チャック装置（７）が、チャックブラケット（１３）を有し、このチャックブラケットが、一方の側で蝶番式に一方の連結部材（９，１０）と、そして他方の側でもって他方の連結部材（９，１０）と接続されている、及び／又は接続可能であることを特徴とする請求項１から５のいずれか一項に記載の軸連結部。
【請求項７】
チャックブラケット（１３）が、第一のセンタリング側面（１４）と第二のセンタリング側面（１５）を有し、その際、第一のセンタリング側面（１４）が、第一の連結部材（９）のセンタリング側面（１６）と、そして第二のセンタリング側面（１５）が、第二の連結部材（１０）のセンタリング側面（１７）と、閉じられた状態で作用接触状態にあることを特徴とする請求項１から６のいずれか一項に記載の軸連結部。
【請求項８】
クランプ部（８）が、軸ピボット部（１）のセンタリングのため、調整ねじ山（１８）を介して連結体（４）に対して移動可能に形成されていることを特徴とする請求項１から７のいずれか一項に記載の軸連結部。
【請求項９】
クランプ部（８）が、軸ピボット部（１）に当接するための複数の当接面（１９）を有すること、および当接面（１９）が、閉じられた状態で基本的に放射相称又は回転対称に連結体の回転軸（２０）の周りに分配されていることを特徴とする請求項１から８のいずれか一項に記載の軸連結部。
【請求項１０】
軸ピボット部が、チャック装置のチャックによってクランプ部の間に挟み込まれていることを特徴とする請求項１から９のいずれか一項に記載の軸連結部。
【請求項１１】
例えばクッキー等のようなベーキング製品の製造の為の生地バンド又は型体を処理するためのローラー装置であって、ローラー（２１）および機械フレーム（２２）を有するローラー装置において、
ローラー（２１）が請求項１から１０のいずれか一項に記載の軸連結部を介して機械フレームと連結されていることを特徴とするローラー装置。
【請求項１２】
生地の搬送の為に駆動される搬送ベルト（２６）が設けられており、その際、搬送方向（２３）における搬送ベルト（２６）の速度が、基本的に、ローラー（２１）の周囲速度に相当し、そしてその際、搬送ベルト（２６）とローラー（２１）の間に、生地バンドの通過の為のローラー間隙（２４）が設けられていることを特徴とする請求項１０に記載のローラー装置。
【請求項１３】
ローラー（２１）が、連結体を開くことによって取り出し可能であること、そしてその際、駆動部（３）、駆動軸（３２）の支承の為のラジアル支承部、および駆動軸（３２）が機械フレームと接続されていることを特徴とする請求項１１または１２に記載のローラー装置。
【請求項１４】
ローラー（２１）が、連結体を開くことによって取り出し可能であること、およびその際、駆動部（３）、支承軸（２５）の支承の為のラジアル支承部、および支承軸（２５）が、機械フレームと接続されていることを特徴とする請求項１１から１３のいずれか一項に記載のローラー装置。
【請求項１５】
第一の連結部材（９）と支承軸（２５）が、互いに一体に接続されていること、及び／又は第一の連結部（９）と駆動軸（３２）が互いに一体に接続されていることを特徴とする請求項１１から１４のいずれか一項に記載のローラー装置。
【発明の詳細な説明】
【技術分野】
【０００１】
本発明は、例えばクッキー等のようなベーキング製品の製造の為の生地バンド又は型体の処理の為のローラー装置に関する。該ローラー装置は、ローラー、機械フレームを有し、および多角形状の断面を有する軸ピボット部を、回転式に駆動可能又は駆動される連結体を有する駆動部又は支承軸と連結するための軸連結部を有する。連結体は、軸ピボット部の収容のための連結開口部を有している。
【背景技術】
【０００２】
生地バンドの処理のためのローラー装置は、一般的に知られている。従来の装置においては、生地バンドは搬送ベルトを介してローラーの領域へと導かれる。ローラーと搬送ベルトの間には、少なくとも部分的にローラー間隙が設けられている。この間隙は、生地を薄くし、引延し、型抜きし、又は形状付与するのに適している。ローラーは駆動部を介して回転式に駆動される。規則的な間隔で、特にローラーのメンテナンス又は洗浄の為に、そして型抜きローラーの製品交換の際に、ローラーはローラー装置から取り外される必要がある。
【０００３】
従来のローラー装置においては、ローラーの軸ピボット部は通常の支承部内に挟み込まれている。これは、可動支承部装置／固定支承部装置が設けられることを意味する。この装置において支承部は支承架台を介して固定的にねじ接続されている。更に、従来の構造においては、駆動部はねじ接続されたフランジを介してローラーと接続されている。ローラーを引き離すことができるように、一方では全支承部が、つまり個々の各支承部の支承架台と、駆動部との接続が分離される必要がある。これは、高い労力（コスト）および望まれない装置の長時間の滞留時間と結びつく。紙産業の走行ロールにおいて、走行ローラーの為のクイックロックが公知である。これらにおいて、ローラーは、多角形状の断面を有する、両側に突き出た軸ピボット部を有している。この多角形状の軸ピボット部は、ねじロックに類似しており、軸支承部の補完的な空所部内に挿入される。多角形の接続によって、駆動部との回転接続が与えられる。しかし、多角形の空所部内への軸ピボット部の挿入を可能とするために、所定の過剰性又はすきまばめが存在する必要がある。
【０００４】
しかし生地バンド又は型体の処理の為に、この遊びを有する支承部は使用不可能である。というのは、例えば生地の密度変化、厚さ変化又は弾性変化が生じ、または処理自体によって、不規則な負荷や衝撃が生じるからである。長時間の使用時間の際には、これによって多角形接続の領域内にあまりに大きな摩耗が生じることとなる。
【発明の概要】
【発明が解決しようとする課題】
【０００５】
本発明の課題は、一方でローラーのメンテナンスと交換が簡単であり、そして他方で耐用年数が摩耗の少ない連結部によって高められるという装置を提供することである。
【課題を解決するための手段】
【０００６】
発明に係る課題は、特に独立請求項に記載の特徴によって解決される。
【０００７】
これは特に、連結体が複数部材式に、そして分割線に沿って開かれることが可能であるよう形成されていること、分割線が連結開口部を横切っていること、軸ピボット部の力結合的な保持の為のチャック装置が、連結開口部内に設けられていること、連結開口部が、少なくとも部分的にクランプ部によって形成されており、このクランプ部は、閉じられた状態でチャック装置を介して、好ましくは平面として、軸ピボット部に押さえ付けられていることによって解決される。
【０００８】
別の有利な特徴は、連結体が、第一の連結部材及び第二の連結部材を有すること、および、軸ピボット部を連結体と力結合的に接続するため、及びチャック装置を介しての接続を解除するために、第一の連結部材が第二の連結部材に対して移動可能であること、閉じられた状態で、および軸ピボット部が挟み込まれている状態において、第一の連結部材と第二の連結部材の間に間隙が空けられていること、第一の連結部材が、一方の側で蝶番式に第二の連結部材と接続されていること、および他方の側にチャック装置が設けられていること、及び／又はチャック装置が第一の連結部材を第二の連結部材と接続するためのねじ接続部を有することである。
【０００９】
有利には、本発明は、チャック装置がチャックブラケットを有し、このチャックブラケットが、一方側で蝶番式に連結部材と、そしてその他方の側で他の連結部材と接続され、及び／又は接続可能であり、チャックブラケットが第一のセンタリング側面と、第二のセンタリング側面を有し、その際、第一のセンタリング側面が、第一の連結部材のセンタリング側面と、そして第二のセンタリング側面が、第二の連結部材のセンタリング側面と、閉じられた状態で作用接触状態にあり、クランプ部が、軸ピボット部のセンタリングの為に、調整ねじ山を介して連結体に対して移動可能に形成されており、クランプ部が、軸ピボット部に当接するための複数の当接面を有しており、そして該複数の当接面が、閉じられた状態で基本的に放射相称又は回転対称に連結体の回転軸の周りに分配されており、及び／又は、軸ピボット部が、チャック装置の張力によってクランプ部の間に挟み込まれているよう形成されている。
【００１０】
発明に係るローラー装置は、好ましくは、ローラーが、上述した説明に従う軸連結部を介して機械フレームと連結されていること、生地バンドの搬送のための駆動される搬送ベルトが設けられていること、その際、搬送方向における搬送ベルトの速度が、基本的に、ローラーの周囲速度に相当すること、およびその際、搬送ベルトとローラーの間に少なくとも部分的に、生地バンドの通過の為のローラー間隙が設けられていること、ローラーが連結体の開口部を通して取り出し可能であること、およびその際、駆動部、駆動軸の支承の為のラジアル支承部、および駆動軸が機械フレームと接続されていること、ローラーが、連結体を開くことによって取り出し可能であること、およびその際、駆動部、支承軸の支承の為のラジアル支承部、および支承軸が機械フレームと接続されていること、及び／又は第一の連結部材と支承部が互いに一体に接続されていること、及び／又は第一の連結部材と駆動軸が互いに一体に接続されていること、という特徴を有する。
【００１１】
発明に係るローラー装置は、軸連結部を有している。この軸連結部は、ローラーの簡単な交換を可能とし、更にその上、耐用年数を最適化し、これに伴いメンテナンス間隔及びメンテナンス期間を最適化する。
【００１２】
この目的のため、発明に係る軸連結部は、分割可能な連結体を有する。この連結体は、軸ピボット部の形状結合的かつ力結合的な保持のために設けられている。連結体は、例えば、第一の連結部材と第二の連結部材を有する。その際、両方の連結部材は、分割線に沿って互いに分割されている。連結体内には、軸ピボット部の挿入の為の連結開口部が設けられている。この連結開口部は、基本的に軸ピボット部の外側輪郭に一致する内側輪郭を有している。しかし、開口部の輪郭は少なくとも部分的に軸ピボット部の外側輪郭よりも小さい。チャック装置を介して、連結体の複数部材が、互いにチャックされることが可能である。これによって軸ピボット部は、連結開口部内に挟み込まれそして力結合的に接続される。この力結合的な、遊びの無い連結は、耐用年数を改善する。発明に係るチャック装置によって、更に有利には、迅速な開口性とローラーの迅速な交換性が可能とされる。
【００１３】
連結開口部の輪郭に沿って、クランプ部が設けられている。これらクランプ部は、複数の当接面を有し、これら当接面でもって、軸ピボット部と作用接触状態にされることが可能である。クランプ部は、連結体から一体式に形成されていることが可能である。別の実施形に従い、クランプ部は、分割され、連結体と接続された個々の要素として形成されていることも可能である。
【００１４】
更にクランプ部は、例えば軸ピボット部のセンタリングの為の、調整可能又は移動可能に連結体内に設けられていることが可能である。これは、少ない程度だけクランプ部をスライドすることによって、ローラーの回転軸が、連結体の回転軸と一致させられることが可能であることを意味する。
【００１５】
好ましくは、発明に係る軸連結部は、自己センタリング式に形成されている。これは、軸連結部を閉じることによって、およびチャック装置をチャックすることによって、軸が自発的に中央位置に搬送され、そしてこの位置に固定されることを意味する。例えば、これは長方形断面の対角的配置によって達成され、または連結開口部のＶ字形状の配置によってと、軸ピボット部の三角形の多角形状の断面によっても達成される。
【００１６】
自己センタリングが更に有利に作用することは、例えば、連結体が第一及び第二の連結部材内に対称的に分割されることにより達成される。その際、分割線は、基本的に軸ピボット部の回転軸を通って推移する。
【００１７】
機械フレームとローラー装置は、例えばクッキーのようなベーキング製品の工業的製造の為に適しており、かつこの為に設けられている。特にこれは、ベーキング機械の制御ユニットと接続されることが可能である制御及び／又は調整ユニットにも関する。
【００１８】
例えば三角形、四角形、五角形、六角形、七角形、またはより多くの角の多角形断面を有する発明に係る形状が、多角形状と称される。しかしまた、楕円形状、丸められた形状、星形も、多角形状の発明に係る定義に相当する。特に、回転軸と同軸に配置された円形断面と異なる断面の形状が、当該定義に含まれる。
【００１９】
発明に係る装置は、食料品製品の工業的製造装置内で「インライン式」に使用されるのに適しており、及び／又はこのために設けられている。
【００２０】
以下に、本発明を図面に基づき詳細に説明する。
【図面の簡単な説明】
【００２１】
【図１】発明に係る軸連結部と発明に係る複数のローラー装置の可能な配置の斜視図。
【図２】発明に係るローラー装置の詳細図。
【図３】発明に係る軸連結部の断面図。切断面は、基本的に、ローラーの回転軸の垂直面に沿って推移している。
【図４】発明に係る軸連結部の断面図。
【図５】発明に係る軸連結部の別の断面図。図４および５の切断面は、基本的にローラーの回転軸に従う。
【発明を実施するための形態】
【００２２】
図１は、ローラー装置を示す。このローラー装置は、二つのローラー２１を有している。ローラー２１の直近には、搬送ベルト２６が設けられている。ローラーは、この実施形においては、型抜きローラー及び／又は後成型ローラーとして形成されている。その際、生地バンドは、搬送ベルト２６上でローラー２１の方向へと搬送される。これは、クッキー生地の型体の型抜きおよび形成のための空所部及び／又はウェブを有している。
【００２３】
ローラー２１と搬送ベルト２６は、機械フレーム２２と接続されている。ローラー２１は、駆動部３を介して回転的に駆動される。クッキー生地の型体の型抜き及び／又は後成型の為に、ローラー２１が設けられている。異なるクッキー生地の型体の製造を可能とするために、ローラーは交換されることが可能である。このため発明に係る軸連結部が設けられている。
【００２４】
好ましくは、図１の図中には見て取れないが、搬送ベルトの下にゴム処理された対向ローラーが存在している。これら対向ローラーは、ローラー２１の圧力に対抗して作用する。これらは、好ましくは側方から回転式に機械フレームに支承されており、そして搬送ベルトの内側面に沿って回転する。
【００２５】
軸連結部は、ローラー２１またはその軸ピボット部１を、駆動部３の駆動軸又は支承軸２５と接続するのに適している。
【００２６】
図２は、発明に係るローラー装置の細部の斜視図を示す。一方のローラー２１は、両側に突き出た軸ピボット部１を有している。これら軸ピボット部は、発明に係る軸連結部を介して別のコンポーネントと接続されるのに適している。特に、発明に係る軸連結部によって、ここでは表されていない機械フレーム２２と回転可能なローラー２１の間の接続が作られる。ローラー２１は、駆動部３を介して回転軸２７を中心として回転式に駆動されることが可能である。ローラー２１は、両側で機械フレーム２２に支承されている。支承部は、好ましくは、少なくとも一つの固定支承部と二つの可動支承部を有している。その際、一つの可動支承部は、ローラー２１の一方の側に、そして別の可動支承部は他方の側に設けられている。回転支承部は、機械フレーム２２と固定的に接続されている。これは、支承箇所が機械フレーム２２と基本的に堅固に接続されていることを意味する。支承部の可動の部材は、回転可能及び／又は移動可能である。ローラー２１は、軸ピボット部１も含めて、軸連結部を介して支承箇所と連結可能であり、そして特に駆動部３または支承軸２５と連結可能である。この為、軸連結部は、連結体４を有している。この連結体４が軸ピボット部１を受けるための連結開口部５を含む。連結体は、更に少なくとも一つの第一の連結部材９と第二の連結部材１０を有している。これら両方の連結部材は、チャック装置７を介して互いに接続可能であり、又は少なくとも互いに移動可能かつチャック可能である。
【００２７】
図３は、発明に係るローラー装置と、特に発明に係る軸連結部の一つの切断面を示す。その際、切断面は、基本的に回転軸２７の垂直平面に相当する。切断面は、連結体とチャック装置７を通って推移している。
【００２８】
多角形状の断面２を有する軸ピボット部１は、連結体４の連結開口部５内へと突き出している。本実施形においては、断面２は、基本的に長方形の又は正方形の断面として形成されている。
【００２９】
連結開口部５は、基本的に軸ピボット部１の断面２に相当する。接続のために連結体は、複数のクランプ部８を有している。これらクランプ部８は、軸ピボット部１の方の側に各一つ当接面１９を有している。閉じられた状態で、当接面１９は、ローラー２１の軸ピボット部１と直接接触している。連結体４は、本実施形に従い分割されて形成されており、そして第一の連結部材９と第二の連結部材１０を有している。これら両方の部材９，１０は、チャック装置７を介して互いに相対的に動かされることができる。特に、両方の連結部材９，１０は、チャック装置７を介して互いに固定的に接続されることが可能である。本実施形においては、両方の連結部材９，１０は、回転ジョイント部２８を介して一方側で蝶番式に互いに接続されている。連結体４の他方の側には、チャック装置７が設けられている。連結体４は、分割線６に沿って第一の連結部材９と第二の連結部材１０に分割されている。チャック装置７を介して、第一の連結部材９が第二の連結部材１０と接続可能である。この為、チャック装置は、ねじ接続部１２を有している。このねじ接続部を介して、直接または間接に、第一の連結部と第二の連結部の接続が作られることが可能である。図３の本実施形においては、これら接続は、間接的に形成されている。これは、チャック装置７が、ねじ接続部１２とチャックブラケット１３を有していることを意味する。チャックブラケット１３は、回転ジョイント部２８を介して蝶番式に第一の連結部材９と接続されている。ねじ接続部１２は、チャックブラケット１３を第二の連結部材１０と接続するよう設けられている。ねじ接続部を締めることによって、両方の連結部材９，１０はチャックブラケット１３を介して互いに固定的に接続される。
【００３０】
本実施形においては、両方の連結部材の固定の為に、センタリング側面が設けられている。つまりチャックブラケットは、第一のセンタリング側面１４と第二のセンタリング側面１５を有する。更に、第一の連結部材９はセンタリング側面１６と、第二の連結部材は、センタリング側面１７を設けられている。チャックブラケット１３を占めることによって、第一のセンタリング側面１４は第一の連結部材９のセンタリング側面１６と当接する。
【００３１】
更に、チャックブラケット１３を締めることによって、第二のセンタリング側面１５が第二の連結部材のセンタリング側面１７と当接する。好ましくは、（これら）側面は、チャックブラケット１３の移動方向に対して傾斜して推移しているので、ねじ接続部１２及び／又はチャックブラケット１３を締める際に、センタリング側面によるセンタリングが可能とされる。更に、センタリング側面は、チャックブラケット１３とねじ接続部１２を締める際に、両方の連結部材９，１０が互いに動かされるよう設けられている。好ましくは、センタリング側面のこの配置は、楔形の配置として形成されている。よって、第一および第二のセンタリング側面１４，１５は、一つの楔型の部分を形成する。同様に、連結部材９，１０のセンタリング側面１６，１７は共に楔形の部分を形成する。本実施形に従い、楔形の部分の一方は、突出部形状に形成され、そして他方の楔型の部分は、溝形状に形成されている。両方の楔型の部分を互いに押さえ付けることによって、連結体はセンタリングされ、閉じられ、及び／又は、チャックされる。連結開口部５に沿って、複数のクランプ部８が設けられている。これらクランプ部は、好ましくは調整ねじ山１８を介して移動可能である。これによって、クランプ部８の位置は、連結体４に対して相対的にわずかに変更されることができる。例えば、これによって、ローラーの回転軸２０に対する軸ピボット部１のセンタリングが行われることができる。
【００３２】
ローラー２１の交換の為に、本実施形においてはねじ接続部が解除される、または緩められるので、チャック装置７のチャックブラケット１３は回転ジョイント部２８を中心として離れるように旋回させられることができる。これによって、第一及び第二のセンタリング側面が、連結部材１６，１７のセンタリング側面から分離する。その結果、第二の連結部材１０に対する第一の連結部材９のロック及び接続が解除される。これは、回転ジョイント部２８を中心として開かれることができる。分割線６は、連結体４の分割の際に、軸ピボット部１の取り外しが可能とされるよう設けられている。本実施形においては、分割線６は、基本的に回転軸２０を通って、および軸ピボット部１の断面２の対称軸を通って推移している。
【００３３】
閉じられた連結体４においては、チャック装置７を介して及びクランプ部８を介して、形状結合的な多角形接続が作られる。その上、特別な形態、そして特に、軸ピボット部１と連結開口部５の断面２の大きさを介して、クランプ接続が与えられる。よって、連結開口部５、またはクランプ部８の当接面１９は、閉じられた軸連結部において軸ピボット部１が挟み込まれているように形成されている。場合によっては、閉じられた軸連結部の場合にも分割線６に沿って間隙１１が設けられている。これは、連結部材９，１０の互いの当接によってチャック力が減ぜられること無く、軸ピボット部１の挟み込みを可能とする。センタリング側面の形状を介して、またはチャック装置７を介して、軸連結部によって軸ピボット部１に及ぼされる圧力、または及ぼされる面押圧が調整可能である。
【００３４】
図４は、発明に係るローラー装置及び／又は発明に係る軸連結部の別の切断面を示す。ローラー２１は、第一の軸ピボット部１を有する。この軸ピボット部は、側方でローラー２１から突き出している。軸ピボット部は、本発明に従い、多角形状に形成されている、または軸ピボット部は多角形状の断面２を有する。この軸ピボット部は、連結体４と形状結合的かつ力結合的な接続を行われるよう設けられている。連結体４は、多部品式に形成されており、そして第一の連結部材９と第二の連結部材１０を有する。これら部材は、チャック装置７を介して互いに接続可能であり、そして互いにチャック可能であるので、軸ピボット部１は、連結体４内に挟み込まれている。図４の図中では、軸ピボット部１は、支承軸２５と接続されている。この配置は、好ましくは、駆動部が係合しない方のローラー２１の側に設けられている。この箇所においてローラーは単に支承されているのみである。この為、本実施形においては二つのラジアル支承部２９が設けられている。これらラジアル支承部は、支承架台３０中に保持されている。その際、支承架台３０はスリーブ形状又は多部品式に形成されていることが可能である。更に、支承架台３０は、支承部カバー３１によって閉じられている。支承架台３０は、好ましくは、機械フレーム２２と堅固に接続されている。ラジアル支承部２９及び支承架台３０を介して、ローラー２１は機械フレーム２２に回転式に支承されている。一つの実施形に従い、両方のラジアル支承部２９の一方が固定支承部として形成されていることが可能である。
【００３５】
この場合、ローラー２１を取り出すために、軸連結部が開かれると、支承軸２５とラジアル支承部２９は機械フレームに固定的に配置されたままとなる。これは、支承架台３０が開かれる必要がなく、そして支承部が軸ピボット部から抜き取られる必要が無いという発明に係る利点を有する。むしろ単純な操作要素を介して軸連結部は開かれ、そしてローラーが取り出されることが可能である。
【００３６】
図５は、駆動側の軸連結部とその支承部の断面を示す。その際、切断面は、基本的に図４の切断面に相当している。ここでもまた、軸２１が、多角形状の断面を有する軸ピボット部１を介して連結体４内に形状結合的および力結合的に挟み込まれている。連結体は、チャック装置７を介して閉鎖可能かつロック可能に形成されている複数部材式の連結体４を有する上述した連結体の実施形に基本的に相当する。その際、連結体４の連結開口部５内にローラー２１の軸ピボット部１が挟み込まれるよう、第一の連結部材９と第二の連結部材１０が互いに引っ張られる。連結体４は、更に、駆動部３の駆動軸３２と接続されている。駆動軸３２は、二つのラジアル支承部２９を介して支承架台３０内に回転式に支承されている。好ましくは、両方のラジアル支承部２９の一方が固定支承部として形成されている。特に、駆動部３に最も近く位置する支承部が固定支承部として形成されている。支承架台３０は、ラジアル支承部２９の収容の為に設けられている。上述した実施形の説明において記載したように、支承架台３０は、例えばスリーブとして、閉じることができる支承架台として、または同様の躯体（駆動軸または支承軸の回転支承が可能とされるようラジアル支承部を保持すよう設けられ、そしてこれに適している躯体）として形成されている。駆動部３は、機械フレーム２２と、または支承架台３０と回転不能に接続されている。好ましくは、支承架台３０もまた機械フレーム２２と回転不能に接続されている。これによって、一方では、機械フレーム２２に対する駆動部３の支持が可能とされる。他方では、これによってローラー２１またはその軸ピボット１が駆動部３の領域内に回転式に支承される。
【００３７】
ローラー２１も駆動部の領域内でも引き離すことができるためには、軸ピボット部１を取り出すことができるよう、単にチャック装置７と連結体４が開かれることのみが必要である。駆動軸、駆動軸のラジアル支承部２９、および駆動部は、機械フレーム２２と接続されたままである。
【００３８】
この簡単な組立性および分解性によって例えばオイルによる汚染も防止される。
【符号の説明】
【００３９】
１軸ピボット部
２断面
３駆動部
４連結体
５連結開口部
６分割線
７チャック装置
８クランプ部
９第一の連結部材
１０第二の連結部材
１１間隙
１２ねじ接続部
１３チャックブラケット
１４第一のセンタリング側面
１５第二のセンタリング側面
１６第一の連結部材のセンタリング側面
１７第二の連結部材のセンタリング側面
１８調整ねじ山
１９当接面
２０回転軸
２１ローラー
２２機械フレーム
２３搬送方向
２４ローラー間隙
２５支承軸
２６搬送ベルト
２７回転軸
２８回転ジョイント部
２９ラジアル支承部
３０支承架台
３１支承部カバー
３２駆動軸
【図１】
2016520776.tif 000003
【図２】
2016520776.tif 000004
【図３】
2016520776.tif 000005
【図４】
2016520776.tif 000006
【図５】
2016520776.tif 000007
【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
多角形状の断面（２）を有する軸ピボット部（１）を、駆動部（３）または支承軸（２５）と接続するための軸連結部であって、軸ピボット部（１）を収容するための連結開口部（５）を有する回転式に駆動可能な連結体（４）を有する軸連結部であって、
連結体（４）が、第一の連結部材（９）および第二の連結部材（１０）を有し、および分割線（６）に沿って開かれることが可能であるよう形成されており、
分割線（６）が、連結開口部（５）を横切っており、
連結開口部（５）内に軸ピボット部（１）を力結合的に保持するためのチャック装置（７）が設けられており、
および連結開口部（５）が、少なくとも部分的に複数のクランプ部（８）によって形成されており、これらクランプ部が、閉じられた状態でチャック装置（７）を介して、好ましくは面で軸ピボット部（１）に押さえ付けられている軸連結部において、チャック装置（７）が、第一のセンタリング側面（１４）および第二のセンタリング側面（１５）を有するチャックブラケット（１３）を有し、その際、第一のセンタリング側面（１４）が、第一の連結部材（９）のセンタリング側面（１６）と、そして第二のセンタリング側面（１５）が、第二の連結部材（１０）のセンタリング側面（１７）と、閉じられた状態で作用接触状態にあることを特徴とする軸連結部。
【請求項２】
軸ピボット部（１）を連結体（４）と力結合的に接続させる為、および接続を解除するために、第一の連結部材（９）が第二の連結部材（１０）に対してチャック装置（７）を介して移動可能であることを特徴とする請求項１に記載の軸連結部。
【請求項３】
閉じられた状態及び挟み込まれた軸ピボット部において、第一の連結部材（９）と第二の連結部材（１０）の間に間隙（１１）が空けられていることを特徴とする請求項１または２に記載の軸連結部。
【請求項４】
第一の連結部材（９）が一方の側で蝶番式に第二の連結部材（１０）と接続されていること、および他方の側にチャック装置（７）が設けられていることを特徴とする請求項１から３のいずれか一項に記載の軸連結部。
【請求項５】
チャック装置（７）が、第一の連結部材（９）を第二の連結部材（１０）と接続するためのねじ接続部（１２）を有することを特徴とする請求項１から４のいずれか一項に記載の軸連結部。
【請求項６】
チャックブラケット（１３）が、一方の側で蝶番式に一方の連結部材（９，１０）と、そして他方の側でもって他方の連結部材（９，１０）と接続されている、及び／又は接続可能であることを特徴とする請求項１から５のいずれか一項に記載の軸連結部。
【請求項７】
クランプ部（８）が、軸ピボット部（１）のセンタリングのため、調整ねじ山（１８）を介して連結体（４）に対して移動可能に形成されていることを特徴とする請求項１から６のいずれか一項に記載の軸連結部。
【請求項８】
クランプ部（８）が、軸ピボット部（１）に当接するための複数の当接面（１９）を有すること、および当接面（１９）が、閉じられた状態で基本的に放射相称又は回転対称に連結体の回転軸（２０）の周りに分配されていることを特徴とする請求項１から７のいずれか一項に記載の軸連結部。
【請求項９】
軸ピボット部が、チャック装置のチャックによってクランプ部の間に挟み込まれていることを特徴とする請求項１から８のいずれか一項に記載の軸連結部。
【請求項１０】
例えばクッキー等のようなベーキング製品の製造の為の生地バンド又は型体を処理するためのローラー装置であって、ローラー（２１）および機械フレーム（２２）を有するローラー装置において、
ローラー（２１）が請求項１から９のいずれか一項に記載の軸連結部を介して機械フレームと連結されていることを特徴とするローラー装置。
【請求項１１】
生地バンドの搬送の為に駆動される搬送ベルト（２６）が設けられており、その際、搬送方向（２３）における搬送ベルト（２６）の速度が、基本的に、ローラー（２１）の周囲速度に相当し、そしてその際、搬送ベルト（２６）とローラー（２１）の間に、生地バンドの通過の為のローラー間隙（２４）が設けられていることを特徴とする請求項１０に記載のローラー装置。
【請求項１２】
ローラー（２１）が、連結体を開くことによって取り出し可能であること、そしてその際、駆動部（３）、駆動軸（３２）の支承の為のラジアル支承部、および駆動軸（３２）が機械フレームと接続されていることを特徴とする請求項１０または１１に記載のローラー装置。
【請求項１３】
ローラー（２１）が、連結体を開くことによって取り出し可能であること、およびその際、駆動部（３）、支承軸（２５）の支承の為のラジアル支承部、および支承軸（２５）が、機械フレームと接続されていることを特徴とする請求項１０から１２のいずれか一項に記載のローラー装置。
【請求項１４】
第一の連結部材（９）と支承軸（２５）が、互いに一体に接続されていること、及び／又は第一の連結部（９）と駆動軸（３２）が互いに一体に接続されていることを特徴とする請求項１０から１３のいずれか一項に記載のローラー装置。
【国際調査報告】
2016520776.tif 000008
2016520776.tif 000009
2016520776.tif 000010
2016520776.tif 000011